(57)【要約】【課題】香り見本について、使用の際に五感に対して働きかける割合を高める。【解決手段】香り見本１は、正面板１１、背面板１２、一対の側面板１３および端面板１４によって内部空間を区画されるケーシング１０と、ケーシング１０の内部にフラップ本体２１が収納され、タブ２２が外部に露出するフラップ２０と、フラップ本体２１上に設けられた香料保持部３０と、を備える。タブ２２を操作して、フラップ本体２１がケーシング１０の内面と衝突するように揺動させると、発生する風により、香料保持部３０からの香りが通気口１５を通じてケーシング１０の外部へ送り出される。衝突音と衝撃が生じるため、使用者の嗅覚だけでなく、聴覚や触覚にまで働きかけられる。【選択図】図１
0003215845.tif 000002
【実用新案登録請求の範囲】
【請求項１】
内部空間を区画し、共にその内部空間から外部へと通じるスリットおよび通気口を有するケーシングと、
前記ケーシングのスリットを挿通し、長手方向一端部のタブが前記ケーシングの外部に位置し、長手方向他端部のフラップ本体がケーシングの内部空間に位置し、前記タブを操作することで、前記フラップ本体がケーシングの内部空間で相対的に変位可能なフラップと、
前記フラップ本体上に設けられ、フラップ本体の変位に伴って香料をケーシングの通気口を通じて外部へと送り出す香料保持部と、を備える香り見本。
【請求項２】
前記通気口は、前記ケーシングの前記フラップ本体との対向面に設けられている請求項１に記載の香り見本。
【請求項３】
前記フラップは、
前記スリットへの差し込み箇所を支点として、前記ケーシングの対向する内面に前記フラップ本体が当接する範囲内で揺動可能である請求項１または２に記載の香り見本。
【請求項４】
前記フラップ本体の幅は、前記スリットの幅よりも大きい請求項３に記載の香り見本。
【請求項５】
前記タブは、前記スリットを通じて前記ケーシングからの突出方向および没入方向に変位可能であり、
前記ケーシングの内部空間でケーシングの内面とフラップ本体の間に架け渡され、前記タブを前記突出方向に付勢するばね、をさらに備える請求項１または２に記載の香り見本。
【請求項６】
前記フラップおよびばねは同一のブランクからなり、
前記ばねは、前記ブランクを筒形に折り曲げてその筒の一面を前記ケーシングに貼り合わせることで形成されている請求項５に記載の香り見本。
【請求項７】
前記フラップは、ブランクを長手方向に折り曲げて重ね合わせることで形成されており、
前記香料保持部は、重ね合わされたブランク間に挟持されている請求項１から６のいずれかに記載の香り見本。
【考案の詳細な説明】
【技術分野】
【０００１】
本考案は、香り見本に関する。
【背景技術】
【０００２】
香水、芳香剤、洗剤等の、香りを特徴とする製品では、宣伝広告の一態様として、店頭に香り見本が並べられることがある。
【０００３】
そのような香り見本として、例えば特許文献１のような、二つ折り可能でありその半部に通気口が設けられた台紙と、前記台紙の通気口が設けられた半部に取り付けられた香料収納部と、を備えた香り見本が考案されている。
特許文献１の香り見本を使用する際には、袋状等からなる香料収納部を挟むように台紙を二つ折りし、押圧することで前記通気口から香りを送り出す。送り出された香りを嗅ぐことで、製品の香りを確認することができる。
【０００４】
その他、香料が染み込んだ台紙に顔を近づけて直接的に香りを嗅いだり、小瓶や小袋に香料が収納され、その小瓶のふたを開けたり、袋を押圧したりして、立ち上る香りを嗅いだりする香り見本も存在するが、特許文献１の香り見本も含めて、いずれも、使用の際に最小限の動作をおこなうものにすぎなかった。
【０００５】
しかしながら、製品の印象は、五感に働きかける割合が大きいほど、強く記憶に残ることは経験則上、よく知られていることである。
従来の香り見本のように、香り自体の嗅覚への喚起を除き、微少な動作に伴う触覚へのわずかな働きかけによるのみでは、使用しても製品の印象が薄く、充分な宣伝広告効果が得られないおそれがある。
【先行技術文献】
【特許文献】
【０００６】
【特許文献１】実用新案登録第３１４４０１７号公報
【考案の概要】
【考案が解決しようとする課題】
【０００７】
そこで、本考案の解決すべき課題は、香り見本について、使用の際に五感に対して働きかける割合を高めることである。
【課題を解決するための手段】
【０００８】
上記した課題を解決するため、本考案の香り見本を、内部空間を区画し、共にその内部空間から外部へと通じるスリットおよび通気口を有するケーシングと、前記ケーシングのスリットを挿通し、長手方向一端部のタブが前記ケーシングの外部に位置し、長手方向他端部のフラップ本体がケーシングの内部空間に位置し、前記タブを操作することで、前記フラップ本体がケーシングの内部空間で相対的に変位可能なフラップと、前記フラップ本体上に設けられ、フラップ本体の変位に伴って香料をケーシングの通気口を通じて外部へと送り出す香料保持部と、を備える構成としたのである。
【０００９】
このように構成すると、フラップのタブを操作することで、ケーシング内部で香料保持部が設けられたフラップ本体を変位させて風を発生させることが可能になるため、通気口を通過する風に乗せて、香りをケーシングの外部へ拡散することができる。
香りの付いた風が流れると、嗅覚的に香りが強く印象付けられる。また、フラップおよびケーシングの相対的な変位により、視覚的にも香りが印象付けられる。
【００１０】
考案にかかる香り見本では、前記通気口は、前記ケーシングの前記フラップ本体との対向面に設けられている構成を採用するのが好ましい。
【００１１】
このように構成すると、香料保持部と通気口が対向するため、ケーシング内部の香りを効率よく外部へ送り出すことが可能になる。
【００１２】
考案にかかる香り見本では、前記フラップは、前記スリットへの差し込み箇所を支点として、前記ケーシングの対向する内面に前記フラップ本体が当接する範囲内で揺動可能な構成を採用するのが好ましい。
【００１３】
このように構成すると、フラップを揺動操作することで、連続して風を発生させることが可能になるため、ケーシング内部の香りを効率よく外部へ送り出すことが可能になる。また、ケーシングの内面にフラップ本体が衝突する際に、衝突音が発生するため、聴覚的にも香り見本の使用が印象付けられることになる。
【００１４】
考案にかかる香り見本では、前記フラップ本体の幅は、前記スリットの幅よりも大きい構成を採用するのが好ましい。
【００１５】
このように構成して、フラップのタブを揺動操作すると、フラップ本体は幅広のため発生する風量が増加することから、ケーシング内部の香りを効率よく外部へ送り出すことが可能になる。
さらに、幅広のフラップ本体が抜け止めとなって、フラップとケーシングとが分離してしまうことを防ぐことができる。
【００１６】
考案にかかる香り見本では、前記タブは、前記スリットを通じて前記ケーシングからの突出方向および没入方向に変位可能であり、前記ケーシングの内部空間でケーシングの内面とフラップ本体の間に架け渡され、前記タブを前記突出方向に付勢するばね、をさらに備える構成を採用することができる。
【００１７】
このように構成して、タブを没入方向に押し込んで手を離すと、ばねによってタブは突出方向に自動的に変位し、このタブの没入と突出との反復運動によって、フラップ本体で効率よく風を起こして香りを拡散させることが可能になる。
【００１８】
考案にかかる香り見本では、前記フラップおよびばねは同一のブランクからなり、前記ばねは、前記ブランクを筒形に折り曲げてその筒の一面を前記ケーシングに張り合わせることで形成されている構成を採用するのが好ましい。
【００１９】
このように構成すると、フラップとばねとは打ち抜き等されたブランクから一体に形成可能になるため、香り見本の製造コストを低減することができる。
【００２０】
考案にかかる香り見本では、前記フラップは、ブランクを長手方向に折り曲げて重ね合わせることで形成されており、前記香料保持部は、重ね合わされたブランク間に挟持されている構成を採用することができる。
【００２１】
このように構成すると、香料保持部を容易にかつ脱落困難にフラップへ取り付け可能になるため、香り見本の製造コストを低減することができる。
【考案の効果】
【００２２】
考案にかかる香り見本を以上のように構成したので、使用の際に五感に対して働きかける割合を高めることが可能となった。
【図面の簡単な説明】
【００２３】
【図１】第１実施形態の香り見本の斜視図
【図２】第１実施形態の香り見本の展開図
【図３】第１実施形態の香り見本の使用状態を示す斜視図
【図４】第２実施形態の香り見本の斜視図
【図５】第２実施形態の香り見本の展開図
【図６】第２実施形態の香り見本の使用状態を示す斜視図
【図７】第３実施形態の香り見本の斜視図
【図８】第３実施形態の香り見本の使用状態を示す縦断面図
【図９】第３実施形態の香り見本の展開図
【考案を実施するための形態】
【００２４】
以下、図面を参照しつつ本考案の実施形態について説明する。
【００２５】
（第１実施形態）
図１から図３のように、第１実施形態の香り見本１は、ケーシング１０と、フラップ２０と、香料保持部３０とからなる。
【００２６】
図１のように、ケーシング１０は、三角柱状の箱体であって、前後に対向する正面板１１と背面板１２、左右に対向する一対の側面板１３、および端面板１４によって内部空間が区画されている。
ケーシング１０の正面板１１および背面板１２は、同一形状の矩形の板体であって、その一方の短辺同士が連結されている。
一対の側面板１３は同一形状の二等辺三角形状の板体であって、それぞれその二等辺に正面板１１および背面板１２の長辺が連結されている。
端面板１４は矩形の板体であって、その一対の長辺はそれぞれ正面板１１および背面板１２の短辺に、その一対の短辺はそれぞれ側面板１３の二等辺三角形の底辺に連結されている。
【００２７】
正面板１１には、通気口１５が形成されている。通気口１５は貫通孔であるため、ケーシング１０の内部空間へと通じている。通気口１５は小さな円孔の集合体であり、各円孔は、正方形の各頂点と、対角線の交点に相当する位置に、計５個配列されている。
正面板１１と背面板１２との境界には、スリット１６が形成されている。スリット１６は、正面板１１と背面板１２との境界を貫通しているため、ケーシング１０の内部空間へと通じている。スリット１６の長さは、ケーシング１０の幅（両側面板１３間の距離）よりも小さい。
端面板１４には、その短辺の中点同士をつなぐ折り目１４ａが付されている。また、端面板１４と正面板１１および背面板１２の境界には、切り起こしが形成されている。
【００２８】
図２のように、ケーシング１０は、紙製のブランクＢ１から組み立てられる。
ブランクＢ１は、端面板１４の両長辺には、正面板１１と背面板１２のそれぞれ一方の短辺が罫線を介して連設されている。正面板１１の他方の短辺には、罫線を介して継ぎ代１７が連設されている。
正面板１１の両長辺には、罫線を介して一対の外側面板１３ａが連設され、背面板１２の両長辺には、罫線を介して一対の内側面板１３ｂが連設されている。
外側面板１３ａの二等辺のうち正面板１１との非連結側の辺には、罫線を介して差込片１８が連設されており、内側面板１３ｂの二等辺のうち背面板１２との連結側の辺には、罫線に沿って切れ目１３ｃが付されている。外側面板１３ａの底辺には、罫線を介して折り込み片１９が連設されている。
【００２９】
各罫線にそってブランクＢ１を三角柱状に折り曲げ、正面板１１に連設された継ぎ代１７を背面板１２に折り重ねて貼り付け、外側面板１３ａを外側に内側面板１３ｂを内側に折り重ねて、外側面板１３ａに連設された差込片１８を内側面板１３ｂに形成された切れ目１３ｃに差し込んで固定し、その外側面板１３ａに連設された折り込み片１９を端面板１４に折り重ねると、ケーシング１０が組み立てられる。重ね合わされた外側面板１３ａと内側面板１３ｂとが、ケーシング１０の側面板１３を構成する。
【００３０】
フラップ２０は、矩形の板状体であって、その長手方向の一端部に位置するフラップ本体２１がケーシング１０の内部空間に収納され、その長手方向の他端部に位置するタブ２２が外部へ露出するようにスリット１６に差し込まれている。
フラップ２０はそのフラップ本体２１の表面がケーシング１０の正面板１１と対向し、裏面が背面板１２と対向している。
タブ２２は矩形状をなし、その幅がスリット１６の長さよりも僅かに小さく、使用者が指で掴むことが可能となっている。
【００３１】
フラップ本体２１は矩形状をなし、タブ２２から拡幅してその幅はスリット１６の長さより大きく、かつケーシング１０の幅より僅かに小さくなっている。このため、フラップ２０がケーシング１０から引き抜かれる方向に操作されても、フラップ本体２１がスリット１６周辺のケーシングに突き当たり、抜け出ることはない。
フラップ２０の表面側には、矩形の窓２３が形成され、この窓２３は、ケーシング１０の通気口１５と対向している。
【００３２】
タブ２２をケーシング１０の前後方向（正面板から背面板にかけての方向）に揺動操作すると、フラップ本体２１はこれに一体に、スリット１６への差し込み箇所を支点として揺動し、ケーシング１０の正面板１１と背面板１２に当接する範囲内で変位可能となっている。
【００３３】
図２のように、フラップ２０は、罫線を介して短辺同士が連結された表面板２０ａと裏面板２０ｂからなるブランクＢ２を、二つ折りして重ね合わせ、接着することで組み立てられる。窓２３を有する表面板２０ａがフラップ２０の表面となり、裏面板２０ｂがフラップ２０の裏面となる。
【００３４】
香料保持部３０は、フラップ２０のフラップ本体２１上に設けられ、表面板２０ａと裏面板２０ｂに挟み込まれ、かつ窓２３から外部に臨んでいる。香料保持部３０には、香料を含浸させた微小粒体を不織布に担持させるなどして、公知の香料が保持されている。香料保持部３０から揮散する香りＦは、フラップ２０の窓２３を通じてケーシング１０の内部に充満する。
【００３５】
第１実施形態の香り見本１の構成は以上のようであり、いま、図３に示すように、ケーシング１０が上方に位置するように、フラップ２０のタブ２２をつまみ、前後方向に操作すると、フラップ２０は揺動する。
これに連動して、フラップ本体２１がケーシング１０内で、正面板１１と背面板１２とに交互に繰り返し衝突し、ケーシング１０の香りＦが充満する内部空間で風が生じる。また、かかるフラップ本体２１とケーシング１０との衝突時には、衝突音と衝撃とが生じる。
【００３６】
ケーシング１０内に生じた風は、香料保持部３０から揮散する香りＦを、通気口１５を通じてケーシング１０外へと強制的に送り出す。このため、香り見本１からの香りＦの拡散がスムーズに行われる。
このとき、使用者は、タブ２２の操作に伴って、香りＦと共に衝突音と衝撃とを感じるため、嗅覚だけでなく聴覚および触覚を刺激されることになる。したがって、香り見本１は、従来の香り見本と比べてより五感に対して働きかける割合が高いものとなっている。端面板１４の折り目１４ａを微小に折り曲げて、フラップ２０のケーシング１０に対する衝突角度およびこれにともなう衝突音の音程、音階を微調整することもできる。
【００３７】
（第２実施形態）
図４のように、第２実施形態の香り見本１は、第１実施形態での香り見本１のケーシング１０が三角柱状の箱体であったのに対し、ケーシング１０が四角柱状の箱体であって、端面板１４を上下一対に有する点で異なる。また、第１実施形態での香り見本１は、フラップ２０がブランクＢ２の表面板２０ａと裏面板２０ｂとを折り重ねて二層構造なっていたのに対し、単層構造である点で異なる。
以下、第１の実施形態と同様の構成については、詳細な説明を省略する。
【００３８】
ケーシング１０は、四角柱状の箱体であって、前後に対向する正面板１１と背面板１２、左右に対向する一対の側面板１３および上下に対向する一対の端面板１４によって内部空間が区画されている。
側面板１３は台形状の板体であって、その台形の上底と下底の中点同士を結ぶ折り目１３ｄが付されている。
また、上下の端面板１４のうち、一方の端面板１４には、スリット１６が設けられ、このスリット１６の両端部には、丸孔１６ａが形成されている。
【００３９】
図５のように、ケーシング１０は、紙製のブランクＢ１から組み立てられる。
正面板１１の両長辺には、罫線を介して一対の側面板１３が連設され、両短辺には、罫線を介して一対の端面板１４が連設されている。一方の側面板１３には、罫線を介してその斜辺に背面板１２が、その下底に折り込み片１９が、他方の側面板１３には、罫線を介してその斜辺に継ぎ代１７ｂが、その下底に折り込み片１９が、それぞれ連設されている。
また、両端面板のうち、一方の端面板１４の長辺には継ぎ代１７ａが、他方の端面板１４の長辺には差込片１８が、それぞれ罫線を介して連設されている。
各罫線に沿ってブランクＢ１を正面板１１と背面板１２、両側面板１３、両端面板１４が対向するように四角柱状に折り曲げ、各継ぎ代１７ａ、１７ｂを背面板１２の裏面に重ね合わせて接着して四角筒形に成形するとともに、両折り込み片１９を四角筒形の開口に向けて折り込み、差込片１８を開口に差し込むことで、ケーシング１０が組み立てられる。
【００４０】
フラップ２０は、樹脂製の板体であってフラップ本体２１とタブ２２との境界に、両側から内側へ窪んだくびれ部２４を有するブランクＢ２から形成される。
また、フラップ本体２１の両側には、フラップ本体２１の長辺と平行な折り目２１ａが形成されている。フラップ本体２１の幅は、端面板１４のスリット１６の長さよりも大きいため、フラップ２０がケーシング１０から抜け出ることが防止されているが、折り目２１ａを折り曲げてフラップ本体２１の両側部を内側に折り重ねると、その幅はスリット１６の長さよりも小さい。
【００４１】
したがって、フラップ本体２１の両側部を折り重ねた状態で、スリット１６に差し込み、素材である樹脂の復元弾性により、両側部が開くと、抜け止めされることになる。ここで、タブ２２の幅は、スリット１６の長さよりも大きく、かつフラップ本体２１のように折り目２１ａが付されてもいないため、折り曲げられたフラップ本体２１をスリット１６に差し込む際に、タブ２２までもがスリット１６を通過して、フラップ２０全体がケーシング１０内に没入してしまう事態が防止されている。
なお、スリット１６両端の丸孔１６ａは、フラップ２０を差し込む際に、折り重ねたフラップ本体２１の折り目２１ａの近傍の折り曲げ箇所を差し込みやすくするためのものである。
【００４２】
香料保持部３０は、フラップ２０上に接着等の適宜手段により貼り付けられており、その全体がケーシング１０内で露出した状態にある。
【００４３】
第２実施形態の香り見本１の構成は以上のようであり、図６に示すように、タブ２２をケーシング１０の前後方向に操作すると、フラップ２０が差し込み箇所を支点にして揺動し、フラップ本体２１がケーシング１０の正面板１１と背面板１２とに繰り返し衝突し、ケーシング１０の内部空間で風が生じ、香りが拡散され、同時に衝突音と衝撃とが生じる。
側面板１３の折り目１３ｄを微小に折り曲げることで、フラップ２０のケーシング１０に対する衝突角度や発生する衝突音の音程、音階を微調整することもできる。
【００４４】
（第３実施形態）
図７および図８のように、第３実施形態での香り見本１は、ケーシング１０とフラップ２０と香料保持部３０とばね４０とからなる。フラップ２０とばね４０とは、一体であって、一枚のブランクＢ２、Ｂ３から形成される。
ケーシング１０は、立方体形状の箱体であって、それぞれ略正方形の板体である、前後に対向する正面板１１と背面板１２、左右に対向する一対の側面板１３、および上下に対向する一対の端面板１４によって内部空間が区画されている。
正面板１１には、通気口１５が形成され、背面板１２と一方の端面板１４との境界には、スリット１６が形成されている。
【００４５】
図９のように、ケーシング１０は、紙製のブランクＢ１から組み立てられる。
ブランクＢ１は、正面板１１のそれぞれ対向する二組の辺のうち、一方の組をなす二辺に、それぞれ罫線を介して一対の側面板１３が連設され、他方の組をなす二辺に、それぞれ罫線を介して一対の端面板１４が連設されている。一対の側面板１３のうち、一方の側面板１３には背面板１２が、他方の側面板１３には継ぎ代１７ｃが、それぞれ罫線を介して連設されている。正面板１１、背面板１２、一対の側面板１３および継ぎ代１７ｃは、一方向に並列している。各側面板１３の対向する残りの二辺には、それぞれ罫線を介して継ぎ代１７ｄと折り込み片１９が連設されている。
一対の端面板１４のうち、一方の端面板１４には継ぎ代１７ｅが、他方の端面板１４には差込片１８が、それぞれ罫線を介して連設されている。端面板１４と継ぎ代１７ｅとの境界の罫線上には、スリット１６が付されている。
各罫線を折り曲げて、ブランクＢ１を正面板１１と背面板１２、両側面板１３、両端面板１４がそれぞれ対向するように立方体状に折り曲げ、継ぎ代１７ｃ、１７ｅを背面板１２に、継ぎ代１７ｄを端面板１４にそれぞれ重ね合わせて接着する。両折り込み片１９を開口に向けて折り込み、差込片１８を開口に差し込むことで、ケーシング１０が組み立てられる。
【００４６】
フラップ２０は、フラップ本体２１がケーシング１０内部に収納され、タブ２２がその一部がケーシング１０外部に露出するようスリット１６に差し込まれている。
フラップ本体２１は、ケーシング１０内部において、タブ２２から正面板１１に向けて屈曲し、その表面は下側の端面板１４にその裏面は上側の端面板１４にそれぞれ対向している。フラップ本体２１の表面には、窓２３が設けられている。
【００４７】
ばね４０は、直角三角形状の筒体であって、斜面をなす正面板４１と、底面板４２と、背面板４３とから構成され、両側面は開口している。
ばね４０の正面板４１と背面板４３の境界部は、フラップ２０のフラップ本体２１の表面に連結されている。
ばね４０の底面板４２は、ケーシング１０の下側の端面板１４に貼り付けられている。
【００４８】
図９のように、フラップ２０およびばね４０は、紙製の一枚のブランクＢ２、Ｂ３から組み立てられる。
ブランクＢ２は、窓２３を有する表面板２０ａ、裏面板２０ｂ、タブ２２がこの順にそれぞれ罫線を介して一列に連設され、罫線を折り曲げて表面板２０ａと裏面板２０ｂを重ね合わせ接着し、裏面板２０ｂに対してタブ２２を折り曲げることで組み立てられる。
重ね合わされた表面板２０ａと裏面板２０ｂがフラップ本体２１となり、その表面を表面板２０ａが、その裏面を裏面板２０ｂが構成する。
ブランクＢ３は、表面板２０ａとの連設側から、正面板４１、底面板４２、背面板４３、および継ぎ代４４がこの順にそれぞれ罫線を介して一列に連設され、罫線を折り曲げて三角筒形に成形し、正面板４１の裏面に継ぎ代４４を重ね合わせて接着することで組み立てられる。
表面板２０ａ、裏面板２０ｂ、タブ２２の並列方向における表面板２０ａの長さは、裏面板２０ｂの長さよりも短くなっているため、表面板２０ａを裏面板２０ｂに重ね合わせた状態で裏面板２０ｂの一部が余った状態となる。したがって、表面板２０ａに連設されるブランクＢ３を組み立てた際に、ばね４０のフラップ本体２１との連結箇所は、フラップ本体２１の縁部よりも内側に位置することになる。
【００４９】
香料保持部３０は、フラップ２０のフラップ本体２１上に設けられ、第１実施形態と同様に、表面板２０ａと裏面板２０ｂに挟み込まれ、かつ窓２３から外部に臨んでいる。
【００５０】
第３実施形態での香り見本１の構成は、以上の通りであり、図８の鎖線に示すように、タブ２２をつまんでケーシング１０に没入する方向に押し込み操作すると、ケーシング１０の内部において、フラップ本体２１は、ばね４０との連結箇所を支点にシーソー運動し（回動し）、その表面がケーシング１０の正面板１１に対向する。このとき、ばね４０には、上から押しつぶす方向の荷重がかかり、微少に変形する。
タブの押し込み範囲は、フラップ本体２１の端部が上側の端面板１４に衝突することで規制される。
【００５１】
このとき、タブ２２とフラップ本体２１との境界およびフラップ本体２１とばね４０との境界における屈曲角度が変化する。
タブ２２から手を離すなどして押し込み力から解放すると、タブ２２とフラップ本体２１の境界部およびフラップ本体２１とばね４０との境界部における素材の復元弾性、ならびに微小に押しつぶされたばね４０の弾性によって復元力が作用する。
これにより、フラップ本体２１の変位は解消されるとともに、タブ２２がケーシング１０から突出する方向へ押し戻される。
このような、タブ２２の没入および突出動作を繰り返すことで、フラップ本体２１がケーシング１０内でシーソー運動し、風が生じて、香料保持部３０から通気口１５を通じて外部に香りが拡散する。また、タブ２２の押し込み時に、フラップ本体２１がケーシング１０の端面板１４と衝突することで、衝突音と衝撃とが生じる。
【００５２】
以上、本考案に関する幾つかの実施形態について説明したが、本考案は上記実施形態において説明したものに限定されるものではなく、種々の変形例が適用可能である。
すなわち、今回開示された実施形態はすべての点で例示であって制限的なものではない。本考案の範囲は実用新案登録請求の範囲によって示され、実用新案登録請求の範囲内およびこれと均等の意味でのすべての修正と変形を含む。
【００５３】
たとえば、ケーシング１０やフラップ２０の形状は実施形態に限定されず、ケーシング１０の形状を球形としてもよいし、フラップ２０の形状を棒状としてもよい。
ばね４０の形状も実施形態に限定されず、フラップ２０をもとの形状および位置に復帰するように付勢できるものであればよい。
ケーシング１０やフラップ２０の材質も、実施形態の紙や樹脂に限定されない。
【符号の説明】
【００５４】
１  香り見本
１０  ケーシング
１１  正面板
１２  背面板
１３  側面板
１３ａ  外側面板
１３ｂ  内側面板
１３ｃ  切れ目
１３ｄ  折り目
１４  端面板
１４ａ  折り目
１５  通気口
１６  スリット
１６ａ  丸孔
１７、１７ａ〜１７ｅ  継ぎ代
１８  差込片
１９  折り込み片
２０  フラップ
２０ａ  表面板
２０ｂ  裏面板
２１  フラップ本体
２１ａ  折り目
２２  タブ
２３  窓
２４  くびれ部
３０  香料保持部
４０  ばね
４１  正面板
４２  底面板
４３  背面板
４４  継ぎ代
Ｆ  香り
Ｂ１  ケーシングのブランク
Ｂ２  フラップのブランク
Ｂ３  ばねのブランク
【図１】
0003215845.tif 000003
【図２】
0003215845.tif 000004
【図３】
0003215845.tif 000005
【図４】
0003215845.tif 000006
【図５】
0003215845.tif 000007
【図６】
0003215845.tif 000008
【図７】
0003215845.tif 000009
【図８】
0003215845.tif 000010
【図９】
0003215845.tif 000011